(57)【要約】      （修正有）【課題】プレーヤのスイングに合わせて移動する体の重心を有効に支持し、プレーヤの体を安定させ、スムーズにスイング動作できるゴルフシューズの構造を提供する。【解決手段】ゴルフシューズの構造は、左足用靴底１及び右足用靴底２の左右片方であって、同一側の外縁部または内縁部に突設された補助支持部１１，２１を備える。左足用靴底１の補助支持部１１は、左側の外縁部に突設され、右足用靴底２の補助支持部２１は、左側の内縁部に突設されている。右足用靴底１の補助支持部１１は、右側の外縁部に突設され、左足用靴底１の補助支持部１１は、右側の内縁部に突設されている。【選択図】図１
0003167068.tif 000002
【実用新案登録請求の範囲】
【請求項１】
左足用靴底及び右足用靴底の同一辺の周縁部に突設された補助支持部を備えることを特徴とするゴルフシューズの構造。
【請求項２】
前記左足用靴底の前記補助支持部は、左側の外縁部に突設され、
前記右足用靴底の前記補助支持部は、左側の内縁部に突設されていることを特徴とする請求項１に記載のゴルフシューズの構造。
【請求項３】
前記左足用靴底及び前記右足用靴底には、ベースが接続され、前記ベースに組み合わせられるスパイク鋲が配置され、前記ベースには多辺形のソケットが成形され、前記スパイク鋲には前記ソケットに組み合わせるために、前記ソケットの一端に合わせて同様の多辺形をなす組立ブロックが突設され、前記ベースの中心にはネジ孔が穿設され、前記スパイク鋲の中心に貫通孔が穿設され、前記スパイク鋲の前記貫通孔にネジが貫設され、前記ベースの前記ネジ孔に螺着されることを特徴とする請求項２に記載のゴルフシューズの構造。
【請求項４】
前記右足用靴底の前記補助支持部は、右側の外縁部に突設され、
前記左足用靴底の前記補助支持部は、右側の内縁部に突設されていることを特徴とする請求項１に記載のゴルフシューズの構造。
【請求項５】
前記左足用靴底及び前記右足用靴底には、ベースが接続され、前記ベースに組み合わせられるスパイク鋲が配置され、前記ベースには多辺形のソケットが成形され、前記スパイク鋲には前記ソケットに組み合わせるために、前記ソケットの一端に合わせて同様の多辺形をなす組立ブロックが突設され、前記ベースの中心にはネジ孔が穿設され、前記スパイク鋲の中心には貫通孔が穿設され、前記スパイク鋲の前記貫通孔にネジが貫設され、前記ベースの前記ネジ孔に螺着されることを特徴とする請求項４に記載のゴルフシューズの構造。
【請求項６】
前記左足用靴底及び前記右足用靴底には、ベースが接続され、前記ベースに組み合わせられるスパイク鋲が配置され、前記ベースには多辺形のソケットが成形され、前記スパイク鋲には前記ソケットに組み合わせるために、前記ソケットの一端に合わせて同様の多辺形をなす組立ブロックが突設され、前記ベースの中心にはネジ孔が穿設され、前記スパイク鋲の中心には貫通孔が穿設され、前記スパイク鋲の前記貫通孔にネジが貫設され、前記ベースの前記ネジ孔に螺着されることを特徴とする請求項１に記載のゴルフシューズの構造。
【考案の詳細な説明】
【技術分野】
【０００１】
本考案は、ゴルフシューズの構造に関し、特に、プレーヤのスイングに合わせて移動する体の重心を有効に支持し、プレーヤの体を安定させ、球を打つ力及び精度を維持し、プレーヤが所望の場所に球を飛ばすことができるゴルフシューズの構造に関する。
【背景技術】
【０００２】
図７〜図９を参照する。図７〜図９に示すように、従来のゴルフシューズの靴底及びスパイク鋲の組み合わせ構造は、ゴルフシューズの靴底７にベース８が被覆されるように接続され、ベース８には、円形のねじ孔８１が穿設され、スパイク鋲９に凸設される円形のネジロッド９１に螺着されている。しかし、従来のゴルフシューズのスパイク鋲９の構造は、一定時間履いていると外れることがあり、使用上非常に不便である。
【０００３】
スイングして球を打つとき、右利きプレーヤ（ｒｉｇｈｔ  ｈａｎｄ  ｐｌａｙｅｒ）の体の重心は、最初、平均的に両足の裏に位置する。バックスイング（ｂａｃｋ  ｓｗｉｎｇ）を行うと、重心は、体のひねりに合わせて徐々に両足の裏の右側に移動し、バックスイングが頂点に達すると、足の裏の右側に完全に偏る。ダウンスイング（ｄｏｗｎ  ｓｗｉｎｇ）を行い体が逆にひねられると、体の重心は、足の裏の左側に移動し、フィニッシュ（ｆｉｎｉｓｈ）した後、再び平均的に両足の裏にある状態に戻る。反対に、左利きプレーヤ（ｌｅｆｔ  ｈａｎｄ  ｐｌａｙｅｒ）は、体の重心が足の裏の右側に移動する。
【０００４】
このため、スイングを行う際、プレーヤの体は安定しない。特に、スイング動作を行うとき、体の重心は、足の裏の片方の側に偏る。このとき、重心が偏ることにより、体重の圧力が靴底により支持できる許容範囲を超え、靴底のグリップ力が瞬間的に激減するため、下半身が不安定になったり位置がずれたりする。また、バックスイングしてからダウンスイングする際、球を打つ力が弱くなったり精度に悪影響が出たりし、所望の場所に球を飛ばすことが困難となることがある。
【考案の概要】
【考案が解決しようとする課題】
【０００５】
本考案の目的は、プレーヤのスイングに合わせて移動する体の重心を有効に支持し、プレーヤの体を安定させ、スムーズにスイング動作できるようにするゴルフシューズの構造を提供することにある。
【課題を解決するための手段】
【０００６】
上記課題を解決するために、本考案の第１の形態によれば、左足用靴底及び右足用靴底の同一辺の周縁部に突設された補助支持部を備えることを特徴とするゴルフシューズの構造が提供される。
【０００７】
また、前記左足用靴底の前記補助支持部は、左側の外縁部に突設され、前記右足用靴底の前記補助支持部は、左側の内縁部に突設されていることが好ましい。
【０００８】
また、前記左足用靴底及び前記右足用靴底には、ベースが接続され、前記ベースに組み合わせられるスパイク鋲が配置され、前記ベースには多辺形のソケットが成形され、前記スパイク鋲には前記ソケットに組み合わせるために、前記ソケットの一端に合わせて同様の多辺形をなす組立ブロックが突設され、前記ベースの中心にはネジ孔が穿設され、前記スパイク鋲の中心に貫通孔が穿設され、前記スパイク鋲の前記貫通孔にネジが貫設され、前記ベースの前記ネジ孔に螺着されることが好ましい。
【０００９】
また、前記右足用靴底の前記補助支持部は、右側の外縁部に突設され、前記左足用靴底の前記補助支持部は、右側の内縁部に突設されていることが好ましい。
【００１０】
また、前記左足用靴底及び前記右足用靴底には、ベースが接続され、前記ベースに組み合わせられるスパイク鋲が配置され、前記ベースには多辺形のソケットが成形され、前記スパイク鋲には前記ソケットに組み合わせるために、前記ソケットの一端に合わせて同様の多辺形をなす組立ブロックが突設され、前記ベースの中心にはネジ孔が穿設され、前記スパイク鋲の中心には貫通孔が穿設され、前記スパイク鋲の前記貫通孔にネジが貫設され、前記ベースの前記ネジ孔に螺着されることが好ましい。
【００１１】
また、前記左足用靴底及び前記右足用靴底には、ベースが接続され、前記ベースに組み合わせられるスパイク鋲が配置され、前記ベースには多辺形のソケットが成形され、前記スパイク鋲には前記ソケットに組み合わせるために、前記ソケットの一端に合わせて同様の多辺形をなす組立ブロックが突設され、前記ベースの中心にはネジ孔が穿設され、前記スパイク鋲の中心には貫通孔が穿設され、前記スパイク鋲の前記貫通孔にネジが貫設され、前記ベースの前記ネジ孔に螺着されることが好ましい。
【考案の効果】
【００１２】
本考案の目的は、プレーヤのスイングに合わせて移動する体の重心を有効に支持し、プレーヤの体を安定させ、スムーズにスイング動作できるようにするゴルフシューズの構造を提供することにある。
【図面の簡単な説明】
【００１３】
【図１】本考案の一実施形態によるゴルフシューズの構造の左利きプレーヤが使用する左右の靴底を示す平面図である。
【図２】本考案の一実施形態によるゴルフシューズの構造の左利きプレーヤが使用する左右の靴底を示す断面図である。
【図３】本考案の一実施形態によるゴルフシューズの構造の右利きプレーヤが使用する左右の靴底を示す平面図である。
【図４】本考案の一実施形態によるゴルフシューズの構造の右利きプレーヤが使用する左右の靴底を示す断面図である。
【図５】本考案の一実施形態によるゴルフシューズの構造のスパイク鋲及びベースを示す分解斜視図である。
【図６】本考案の一実施形態によるゴルフシューズの構造のスパイク鋲及びベースを示す断面図である。
【図７】従来のゴルフシューズの構造の靴底を示す断面図である。
【図８】従来のゴルフシューズの構造のスパイク鋲及びベースを示す分解斜視図である。
【図９】従来のゴルフシューズの構造のスパイク鋲及びベースを示す断面図である。
【考案を実施するための形態】
【００１４】
図１を参照する。図１に示すように、本考案の一実施形態によるゴルフシューズの構造は、プレーヤがスイングを行うとき、体の重心が移動することに基づいて設計され、ゴルフシューズの左右の靴底の同一辺の周縁部に補助支持部が突設されている。
【００１５】
図１及び図２を参照する。図１及び図２に示すように、上述の原理に基づき、本考案の一実施形態によるゴルフシューズの構造の左利きプレーヤが使用する左足用靴底１は、左側外縁部に補助支持部１１が突設されている。右足用靴底２は、左側内縁部に補助支持部２１が突設されている。
【００１６】
図３及び図４を参照する。図３及び図４に示すように、右利きプレーヤの右足用靴底３は、右側外縁部に補助支持部３１が突設されている。左足用靴底４は、右側内縁部に補助支持部４１が突設されている。
【００１７】
図１及び図２を参照する。図１及び図２に示すように、本考案の一実施形態によるゴルフシューズの構造の靴底を有するゴルフシューズを左利きプレーヤが使用しスイング動作を行うとき、体の重心が平均的に両足の裏にある状態から、体のひねりに合わせて足の裏の左側に徐々に移動する。重心は、バックスイングが頂点に達するとき、足の裏の左側に完全に偏る。左利きプレーヤがバックスイングを行うとき、左足用靴底１の左側外縁部に突設された補助支持部１１及び右足用靴底２の左側内縁部に突設された補助支持部２１により、左側に徐々に移動する重心を支持し、重心が安定しなかったり位置がずれたりすることを防ぐことができる。そのため、左利きプレーヤは、ダウンスイングを行うとき、非常に安定した状態で球を打つことができる。
【００１８】
図３及び図４を参照する。図３及び図４に示すように、右利きプレーヤは、右側外縁部に補助支持部３１が突設された右足用靴底３及び右側内縁部に補助支持部４１が突設された左足用靴底４からなるゴルフシューズを使用する。右利きプレーヤがスイング動作を行うとき、体の重心は、足の裏の右側に徐々に移動する。図６を参照する。図６に示すように、右足用靴底３の右側外縁部に突設された補助支持部３１及び左足用靴底４の右側内縁部に突設された補助支持部４１は、右側に徐々に移動する重心を支持することで、プレーヤの下半身を安定させ、バックスイングを行うとき、体の位置がずれることを防ぐことができる。続いてダウンスイングを行うと、足の裏が安定して靴底に接触し、抵抗なくスムーズにスイング動作を行い、安定した状態で球を打つことができる。
【００１９】
図５及び図６を参照する。図５及び図６に示すように、本考案の一実施形態によるゴルフシューズの構造は、プレーヤがスイングを行うときの安定性を向上させることができる。スパイク鋲５の一方のスパイク爪の長さＤは、スパイク鋲５の他方のスパイク爪の長さｄより長い。左利きプレーヤが使用するゴルフシューズの左足用靴底１を組み立てるとき、左足用靴底１の左側外縁部に突設されたスパイク鋲５のスパイク爪の長さＤが長い一方が左側に配置され、スパイク爪の長さｄが短い一方が右側に配置される。同様に、左利きプレーヤが使用するゴルフシューズの右足用靴底２の左側外縁部に突設されたスパイク鋲５は、スパイク爪の長さＤが長い一方が左側に配置され、スパイク爪の長さｄが短い一方が右側に配置される。左利きプレーヤがスイング動作を行う場合、体の重心が左側に偏ると、スパイク鋲５の左側に位置するスパイク爪の長さＤが長い一方は、深く地面に突き刺さり、ゴルフシューズがより安定して地面をグリップすることで、下半身が安定し、スイング動作を安定させることができる。反対に、右利きプレーヤが使用するゴルフシューズの右足用靴底３を組み立てるとき、右足用靴底３の右側外縁部に突設されたスパイク鋲５のスパイク爪の長さＤが長い一方が右側に配置され、スパイク爪の長さｄが短い一方が左側に配置される。同様に、左足用靴底４の右側外縁部に突設されたスパイク鋲５は、スパイク爪の長さＤが長い一方が右側に配置され、スパイク爪の長さｄが短い一方が左側に配置されている。右利きプレーヤがスイングを行う場合、体の重心が右側に偏ると、スパイク鋲５の右側に位置するスパイク爪の長さＤが長い一方が地面に深く突き刺さり、ゴルフシューズが安定して地面をグリップすることができる。  
【００２０】
図５及び図６を参照する。図５及び図６に示すように、本考案の一実施形態によるゴルフシューズの構造は、プレーヤがスイングを行ったり歩行したりすることによる生じるトルク回転により、スパイク鋲５が容易に外れることがないようにし、ゴルフシューズの靴底に接続されるベース６に多辺形のソケット６１が成形されている。ソケット６１の中心には、ネジ孔６２が穿設されている。スパイク鋲５には、ソケット６１の一端に合わせて同様の多辺形をなす組立ブロック５１が突設され、ベース６のソケット６１に組み合わせられている。スパイク鋲５の中心には、ベース６のネジ孔６２に対応するように貫通孔５２が穿設されている。一般のネジ５３は、スパイク鋲５の貫通孔５２に貫設され、ベース６のネジ孔６２に螺着される。スパイク鋲５の多辺形の組立ブロック５１及びベース６に設けられた多辺形のソケット６１は、互いに噛み合い、プレーヤがスイングを行ったり歩行したりすることによるトルク作用により、スパイク鋲５が自然に回転して外れることを防ぐことができる。また、スパイク鋲５のネジ５３は、従来の一般規格のネジ製品であるため、スパイク鋲５を分解する際、一般のドライバにより容易に脱着させることができる。そのため、使用上便利である。
【００２１】
上述したことから分かるように、本考案のゴルフシューズの構造は、以下（１）及び（２）の特徴を有する。
（１）左利きプレーヤ及び右利きプレーヤがスイングを行うとき、ゴルフシューズの靴底は、体の重心が移動する位置に基づき補助支持部を突設することで、プレーヤの体の重心を支持し、左利きプレーヤ及び右利きプレーヤがバックスイングを行うとき、下半身がより安定し、重心が不安定になったり体の位置がずれたりすることを防ぎ、バックスイングしてからダウンスイングする際の力が好適に維持され、ダウンスイングして球を打つ精度を高めることができるため、プレーヤは、好適な力及び精度が維持された状態で、スムーズに所望の場所へ球を飛ばすことができる。
（２）ゴルフシューズの靴底に配置されたベースには、多辺形をなすソケットが成形され、スパイク鋲には、ソケットに組み合わせるためソケットの一端に合わせて同様の多辺形をなす組立ブロックが突設され、スパイク鋲の組立ブロック及びベースのソケットが互いに噛み合うことで、スパイク鋲がプレーヤの歩行又はスイングのトルク作用を受けるため、自然に回転したり外れたりすることを防ぐことができる。
【００２２】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２３】
１  左足用靴底
２  右足用靴底
３  右足用靴底
４  左足用靴底
５  スパイク鋲
６  ベース
７  靴底
８  ベース
９  スパイク鋲
１１  補助支持部
２１  補助支持部
３１  補助支持部
４１  補助支持部
５１  組立ブロック
５２  貫通孔
５３  ネジ
６１  ソケット
６２  ネジ孔
８１  ネジ孔
９１  ネジロッド
ｄ  スパイク爪の長さ
Ｄ  スパイク爪の長さ
【図１】
0003167068.tif 000003
【図２】
0003167068.tif 000004
【図３】
0003167068.tif 000005
【図４】
0003167068.tif 000006
【図５】
0003167068.tif 000007
【図６】
0003167068.tif 000008
【図７】
0003167068.tif 000009
【図８】
0003167068.tif 000010
【図９】
0003167068.tif 000011
【手続補正書】
【提出日】平成23年1月6日(2011.1.6)
【手続補正１】
【補正対象書類名】実用新案登録請求の範囲
【補正対象項目名】請求項１
【補正方法】変更
【補正の内容】
【請求項１】
左足用靴底及び右足用靴底の左右片側であって、同一側の外縁部または内縁部に突設された補助支持部を備えることを特徴とするゴルフシューズの構造。
【手続補正２】
【補正対象書類名】明細書
【補正対象項目名】０００６
【補正方法】変更
【補正の内容】
【０００６】
上記課題を解決するために、本考案の第１の形態によれば、左足用靴底及び右足用靴底の左右片側であって、同一側の外縁部または内縁部に突設された補助支持部を備えることを特徴とするゴルフシューズの構造が提供される。